(57)【要約】      （修正有）【課題】冷却または温熱効果を容易に維持可能としたスカーフを提供する。【解決手段】自在に開封および封止することができる水密性を有する開口部１５が形成された、温度保持体を収納する非透水性の素材からなる帯状の袋体１１と、袋体１１の長手方向の両端に連設された連設片１２と、を備えたスカーフを構成する。【選択図】図２
0003207680.tif 000002
【実用新案登録請求の範囲】
【請求項１】
自在に開封および封止することができる水密性を有する開口部（１５）が形成された、温度保持体（Ｉ）を収納する非透水性の素材からなる帯状の袋体（１１）と、
前記袋体（１１）の長手方向の両端に連設された連設片（１２）と、
を備えたスカーフ。
【請求項２】
前記温度保持体（Ｉ）が氷水又は氷である請求項１に記載のスカーフ。
【請求項３】
前記開口部（１５）に２重チャック（１６）を採用した請求項１または２に記載のスカーフ。
【請求項４】
前記連設片（１２）に、面ファスナ（１７）を設けた請求項１から３のいずれか１項に記載のスカーフ。
【考案の詳細な説明】
【技術分野】
【０００１】
この考案は、袋状に構成された帯状体の中に、温度保持体としての冷却体または温熱体を出し入れ自在とした、冷却または温熱が可能なスカーフに関する。
【背景技術】
【０００２】
夏の炎天下において熱中症になるのを防止したり、冬に体温を保持したりするために、冷却体または温熱体を収納可能としたスカーフが使用されることがある。
【０００３】
例えば、特許文献１に示す冷却用スカーフは、透水性のシートを用いて形成した帯状の本体を有し、この本体内に形成された袋部内に、吸水ポリマーを収納した構成を採用している（特許文献１の段落００１３、図８（ｂ）参照）。この冷却用スカーフを水につけると、吸水ポリマーが吸水した状態となる。そして、吸水状態の吸水ポリマーを収納した冷却用スカーフを首に巻き付けると、吸水ポリマー中の水がシート表面から浸み出して体表面で気化し、その気化熱によって冷却効果が得られる。
【０００４】
また、特許文献２に示すスカーフは、袋状に形成されたポケットに、冷却体または温熱体を出し入れ可能な構成を採用している（特許文献２の段落００２４参照）。このポケットの開口部には面ファスナが設けられており、この面ファスナを閉じることによって、収納した冷却体などが脱落しないようになっている（本文献の段落００３２、図５参照）。冷却効果または温熱効果が低下したら、ポケットから使用済みの冷却体などを取り出して、新しい冷却体などに交換する。
【先行技術文献】
【特許文献】
【０００５】
【特許文献１】特開２０１０−１５６０９１号公報
【特許文献２】実用新案登録第３１５５４８７号公報
【考案の概要】
【考案が解決しようとする課題】
【０００６】
特許文献１に示す冷却用スカーフは、吸水ポリマーに吸水された水によって、使用者の着衣が濡れるという問題がある。また、特許文献２に示すスカーフは、着衣が濡れる問題はないものの、冷却または温熱効果が低下したときには、このスカーフのポケットの形状に合った冷却済みの冷却体などを入手しなければならず、その入手ができずに継続使用に支障をきたす虞がある。
【０００７】
そこで、この考案は、スカーフの冷却または温熱効果を容易に維持可能とすることを課題とする。
【課題を解決するための手段】
【０００８】
上記の課題を解決するため、この考案においては、自在に開封および封止することができる水密性を有する開口部が形成された、温度保持体を収納する非透水性の素材からなる帯状の袋体と、前記袋体の長手方向の両端に連設された連設片と、を備えたスカーフを構成した。
【０００９】
このように、袋体に開封および封止自在の水密性を有する開口部を形成するとともに、この袋体を非透水性の素材で構成することにより、この袋体に液状体を収納することができる。液状体であれば、袋体の形状に合った冷却体または温熱体を用意する必要がないため、冷却効果などが低下したときに、冷却体などの交換を速やかに行うことができる。
【００１０】
前記構成においては、前記温度保持体が氷水又は氷である構成とするのが好ましい。氷は、身近な小売店でも販売されており、冷却済みの保冷材と比較して容易に入手することができる。
【００１１】
前記各構成においては、前記開口部に２重チャックを採用した構成とするのが好ましい。このように、２重チャックを採用することにより、袋体に液状の冷却体などを収納したときに、その冷却体などが漏れるのを確実に防止することができる。
【００１２】
前記各構成においては、前記連設片に、面ファスナを設けた構成とするのが好ましい。このように、連設片に面ファスナを設け、各連設片を互いに係止することにより、このスカーフを首に巻き付けたときに、首からの脱落を確実かつ容易に防止することができる。
【考案の効果】
【００１３】
この考案は、非透水性の素材からなる袋体に、開封および封止自在の水密性を有する開口部を形成した構成を採用した。この構成によると、この袋体に液状体を収納することができ、冷却効果などが低下したときに、冷却体などの交換を速やかに行うことができる。
【図面の簡単な説明】
【００１４】
【図１】この考案に係るスカーフの一実施形態を示す正面図
【図２】図１に示すスカーフの背面図
【図３】図１に示すスカーフの縦断面図（氷水又は氷を収納した状態）を示し、（ａ）は全体図、（ｂ）は要部
【図４】図１に示すスカーフの要部の斜視図
【図５】図１に示すスカーフの使用状態を示す図
【考案を実施するための形態】
【００１５】
この考案に係るスカーフ１０の一実施形態を図１から図４に、その使用状態を図５に示す。このスカーフ１０は、袋体１１と連設片１２を主要な構成要素としている。
【００１６】
図１および図２に示すように、袋体１１は、首に巻き付けるのに適当な長さの帯状をしている。この実施形態においては、袋体１１の素材として、一般的な氷嚢の素材として用いられている非透水性のポリエステル樹脂を採用している。この素材を用いることで、使用者の首に袋体１１中の冷却体の冷感または温熱体の温感を速やかに伝達することができ、この使用者が、高い快適性を得ることができる。しかも、非透水性に優れるため、図３（ａ）、（ｂ）に示すように、袋体１１の内部に液状の冷却体または温熱体を収納した場合においても、その冷却体または温熱体が漏れて、使用者の着衣を濡らす虞がない。
【００１７】
なお、袋体１１に用いた上記の素材は一例であって、ポリエステル樹脂以外の他の樹脂、または、透水性の素材に非透水性の素材を積層した積層材など、種々の素材を採用することができる。
【００１８】
この袋体１１は、第一帯状体１３ａと第二帯状体１３ｂからなり、両帯状体１３ａ、１３ｂの長辺側の２辺と、短辺側の１辺を圧着部１４ａ、１４ｂ、１４ｃにおいて熱圧着することにより構成されている。この短辺側の熱圧着しなかった１辺側は、袋体１１の内部に連通する開口部１５となっている。
【００１９】
この開口部１５には、２重チャック１６が設けられている。図４に示すように、この２重チャック１６を開くと、開口部１５が開いた状態となり、この開口部１５から袋体１１内に、温度保持体Ｉ（以下において、適宜、冷却体または温熱体に温度保持体Ｉと同じ記号を付する。）をスムーズに収納することができる。冷却体Ｉなどの収納が完了したら、この２重チャック１６を両方とも封止する。これにより、袋体１１が完全に密封された状態となって、袋体１１内に収納した冷却体Ｉなどが開口部から漏れるのを確実に防止することができる。
【００２０】
この実施形態においては、別部材である第一帯状体１３ａと第二帯状体１３ｂを、３カ所の圧着部１４ａ、１４ｂ、１４ｃで熱圧着して袋体１１を構成したが、単独部材である帯状体をその長手方向に沿うように半分に折り曲げ、長辺側の１辺と、短辺側の１辺を圧着部で熱圧着して、開口部１５を有する袋体１１を構成することができる。あるいは、チューブ状の帯状体の長手方向の一端部を圧着部で熱圧着して、開口部１５を有する袋体１１を構成することができる。これらのように袋体１１を構成することにより、熱圧着の箇所を減らすことができ、製造コストを削減できる可能性がある。
【００２１】
また、この実施形態においては、開口部１５に２重チャックを採用したが、さらに高い密封性を期するために、３重チャックとすることもできる。あるいは、単一のチャックで十分高い密封性を得られる場合は、１重チャックとすることもできる。なお、このチャックの態様は特に限定されず、十分な水密性を確保できる限りにおいて、周知のチャックから自由に選択することができる。
【００２２】
この袋体１１に収納する温度保持体Ｉ（冷却体または温熱体）として、冷却に用いる場合には氷水（又は氷）を、温熱に用いる場合には湯を採用するのが好ましい。氷水や湯は、身近なスーパーマーケットやコンビニエンスストアなどの小売店で容易に入手することができるため、冷却または温熱効果が低下したときに、冷却体Ｉとして用いた水などの交換を速やかに行うことができる。このように、液状の氷水や湯を温度保持体Ｉとして用いる代わりに、例えば、冷却体Ｉとして、衝撃を与えることによって急速に冷却反応が生じる、パッケージに収納された瞬間冷却体や、温熱体として、使い捨てのカイロを用いることもできる。
【００２３】
連設片１２は、袋体１１の長手方向の両端に連設されている。この連設片１２は、袋体１１を構成する第一帯状体１３ａと一体に（すなわち、同じ素材で）構成されている。各連設片１２、１２の長さは、各連設片１２、１２を互いにスムーズに固定するのに適した長さとなっている。なお、この連設片１２を第一帯状体１３ａとは別の部材で構成することもできる。各連設片１２、１２の裏面側には、各連設片１２、１２を互いに固定するための固定手段として、面ファスナ１７が設けられている。各連設片１２、１２に設けられた面ファスナ１７の一方側はループ型、他方側はフック型となっている。
【００２４】
図５に示すように、一方の面ファスナ１７を他方の面ファスナ１７に固定することにより、このスカーフ１０を使用者の首周りに装着することができる。なお、この実施形態においては、使用者の首周りに装着した例を示したが、額や腕の周りに装着することもできる。
【００２５】
この面ファスナ１７は一例であって、各連設片１２、１２を互いに固定可能なものであれば、例えば、ボタンやホックなど、他の固定手段を採用することもできる。
【００２６】
上記の実施形態は、あくまでも本願考案に係るスカーフ１０の例示に過ぎず、スカーフ１０の冷却または温熱効果を容易に維持可能とする、という本願考案の課題を解決し得る限りにおいて、各構成部材の形状や素材などに適宜変更を加えることもできる。
【符号の説明】
【００２７】
１０  スカーフ
１１  袋体
１２  連設片
１３ａ  第一帯状体
１３ｂ  第二帯状体
１４ａ、１４ｂ、１４ｃ  圧着部
１５  開口部
１６  ２重チャック
１７  面ファスナ
Ｉ  温度保持体
【図１】
0003207680.tif 000003
【図２】
0003207680.tif 000004
【図３】
0003207680.tif 000005
【図４】
0003207680.tif 000006
【図５】
0003207680.tif 000007